(57)【要約】【課題】メンテナンス性を向上させる。【解決手段】照明装置本体２と、前記照明装置本体２を設置するための取付台３と、前記照明装置本体２及び取付台３との間に介在配置される支持部材４とを有し、前記照明装置本体２の本体ケース１４を互いに分離可能な上ケース１４Ａおよび下ケース１４Ｂとから構成し、前記下ケース１４Ｂ側を前記支持部材４に取り付けると共に、前記上ケース１４Ａ側には、ＬＥＤ１０を光源とした発光部１２と、前記発光部１２に電力供給線１８を介して電気的に接続される電源ボックス１３とを取り付けた。【選択図】図１
2007234558.tif 000002
【特許請求の範囲】
【請求項１】
照明装置本体と、前記照明装置本体を設置するための取付部と、前記照明装置本体及び取付部との間に介在配置される支持部材とを有し、
前記照明装置本体のケース体を互いに分離可能な上ケースおよび下ケースとから構成し、前記下ケース側を前記支持部材に取り付けると共に、
前記上ケース側には、発光ダイオードを光源とした発光部と、前記発光部に電力供給線を介して電気的に接続される電源部とを取り付けたことを特徴とするＬＥＤ照明装置。
【請求項２】
請求項１に記載のＬＥＤ照明装置において、
前記発光ダイオードをマウント基板にマウントして前記発光部を構成し、当該マウント基板を高熱伝導材で形成すると共に、当該マウント基板の縁を前記上ケースの内壁に密接させて前記発光部の発熱を前記上ケースに伝導させることを特徴とするＬＥＤ照明装置。
【請求項３】
請求項２に記載のＬＥＤ照明装置において、
前記下ケース内に複数の放熱フィンを一体形成したことを特徴とするＬＥＤ照明装置。
【請求項４】
請求項１乃至３のいずれかに記載のＬＥＤ照明装置において、
前記電源部に結線部材を設け、
商用電源から供給される電力を伝送する電源線を、前記取付部および前記支持部材の内部を通して前記照明装置本体のケース体内に導き前記結線部材に結線することを特徴とするＬＥＤ照明装置。
【請求項５】
請求項４に記載のＬＥＤ照明装置において、
前記支持部材の先端にシール部材を設け、当該シール部材と共に前記支持部材の先端を前記照明装置本体側に挿入し、前記照明装置本体側の外側から前記支持部材の先端を螺子止め或いはビス止めする際に、螺子或いはビスが前記支持部材の先端部に形成された切欠部を押し上げて前記シール部材を圧迫する
ことを特徴とするＬＥＤ照明装置。
【請求項６】
請求項１乃至５のいずれかに記載のＬＥＤ照明装置において、
前記上ケースおよび前記下ケースのそれぞれに縁部に沿って凹部または凸部を形成して係合自在に構成し、前記凸部によって押圧されるシール部材を前記凹部に配置した
ことを特徴とするＬＥＤ照明装置。
【発明の詳細な説明】
【技術分野】
【０００１】
本発明は、発光ダイオード（ＬＥＤ）を光源としたＬＥＤ照明装置に係り、特に、ポップ（ＰＯＰ）看板や広告等の照明に好適な照明装置に関する。
【背景技術】
【０００２】
近年、ＬＥＤの高出力、長寿命化に伴い、ＬＥＤを主光源としたＬＥＤ照明装置が各種提案されている（例えば、特許文献１参照）。これらのＬＥＤ照明装置によれば、光源の長寿命化に加え、低消費電力化および装置の小型化が図られる。さらに、上記ＬＥＤ照明装置の１つに、看板や広告等を照明するＬＥＤ照明装置が提案されている。
【特許文献１】特開２００２−３０４９０４号公報
【特許文献２】特開２００３−１５００８５号公報
【発明の開示】
【発明が解決しようとする課題】
【０００３】
しかしながら、従来のＬＥＤ照明装置においてはメンテナンス性が悪いといった問題があった。特に、看板や広告等を照明するＬＥＤ照明装置は、一般に、屋外に設置されて使用されるものであり、従来のＬＥＤ照明装置では、故障等が生じた場合には、ＬＥＤ照明装置全体を設置箇所から取り外して交換作業を行う必要があった。
本発明は、上述した事情に鑑みてなされたものであり、メンテナンス性を向上させることのできるＬＥＤ照明装置を提供することを目的とする。
【課題を解決するための手段】
【０００４】
上記目的を達成するために、本発明は、照明装置本体と、前記照明装置本体を設置するための取付部と、前記照明装置本体及び取付部との間に介在配置される支持部材とを有し、前記照明装置本体のケース体を互いに分離可能な上ケースおよび下ケースとから構成し、前記下ケース側を前記支持部材に取り付けると共に、前記上ケース側には、発光ダイオードを光源とした発光部と、前記発光部に電力供給線を介して電気的に接続される電源部とを取り付けたことを特徴とするＬＥＤ照明装置を提供する。
【０００５】
また、本発明は、上記発明において、前記発光ダイオードをマウント基板にマウントして前記発光部を構成し、当該マウント基板を高熱伝導材で形成すると共に、当該マウント基板の縁を前記上ケースの内壁に密接させて前記発光部の発熱を前記上ケースに伝導させることを特徴とする。
【０００６】
また、本発明は、上記発明において、前記下ケース内に複数の放熱フィンを一体形成したことを特徴とする。
【０００７】
また、本発明は、上記発明において、前記電源部に結線部材を設け、商用電源から供給される電力を伝送する電源線を、前記取付部および前記支持部材の内部を通して前記照明装置本体のケース体内に導き前記結線部材に結線することを特徴とする。
【０００８】
また、本発明は、上記発明において、前記支持部材の先端にシール部材を設け、当該シール部材と共に前記支持部材の先端を前記照明装置本体側に挿入し、前記照明装置本体側の外側から前記支持部材の先端を螺子止め或いはビス止めする際に、螺子或いはビスが前記支持部材の先端部に形成された切欠部を押し上げて前記シール部材を圧迫することを特徴とする。
【０００９】
また、本発明は、上記発明において、前記上ケースおよび前記下ケースのそれぞれに縁部に沿って凹部または凸部を形成して係合自在に構成し、前記凸部によって押圧されるシール部材を前記凹部に配置したことを特徴とする。
【発明の効果】
【００１０】
本発明によれば、照明装置本体のケース体を互いに分離可能な上ケースおよび下ケースとから構成し、前記上ケース側に、発光ダイオードを光源とした発光部と、前記発光部に電力供給線を介して電気的に接続される電源部とを取り付けたため、ＬＥＤ照明装置のメンテナンスの際には、ケース体の上ケースを取り外すだけで、発光部および電源部とが一度に取り外され、交換等のメンテナンス作業が容易となる。
【発明を実施するための最良の形態】
【００１１】
以下、図面を参照して本発明の実施の形態について説明する。
図１は本実施形態に係るＬＥＤ照明装置１の正面、右側面および背面の構成を示す図であり、図２はＬＥＤ照明装置１の平面図である。図１に示すように、ＬＥＤ照明装置１は、照明装置本体２と、取付台３と、これら照明装置本体２及び取付台３との間に介在配置される支持部材４とを有している。
【００１２】
上記取付台３は建物の屋内外の壁面或いは天井面に形成された、図示せぬ埋込ボックスにボルト５により取り付けられるものであり、耐食性に優れるアルミダイキャスト等の材質が円筒状（図２参照）に形成されている。
支持部材４は、一端６Ａが取付台３に嵌挿されるパイプ状のアーム６を有して構成され、このアーム６の他端（先端）６Ｂは、照明装置本体２の底面に設けられた連結部７に挿入され、止め螺子４７で締結される。
【００１３】
連結部７は、上記アーム６が挿入されるアーム受け７Ａと、照明装置本体２の底面に固定される固定部７Ｂとを有して構成されている。固定部７Ｂには、アーム受け７Ａを貫通するノブボルト９が螺合する螺子孔８（図７参照）が形成されており、アーム受け７Ａと固定部７Ｂとがノブボルト９の軸を回転軸としてＸ１、Ｙ１方向に回動（揺動）自在に構成され、照明装置本体２のＸ１、Ｙ１方向の回動およびアーム６の長軸周りの回動を適宜調整することにより、照明装置本体２から発光される光が照射対象物の看板等に適正に当たるように調整可能となっている。
【００１４】
照明装置本体２は、複数（図示例では７個）のＬＥＤ１０が放射状に配列されたマウント基板１１を有する発光部１２と、この発光部１２に電力供給線１８を介して電気的に接続され直流の駆動電力を供給する電子式インバータを内蔵する電源ボックス１３と、これら発光部１２および電源ボックス１３を収納する円筒状の本体ケース１４とを備えて構成されている。本体ケース１４の正面側には発光部１２が内蔵され、また、本体ケース１４の正面開口にはカバーガラス１２Ａが嵌挿されている。本体ケース１４の背面には複数枚の放熱フィン１５Ａを有する放熱部１５が形成され、さらに、本体ケース１４の底面には、上記連結部７が取り付けられている。
【００１５】
ＬＥＤ１０は、図３に示すように、ＬＥＤ素子を樹脂にモールドしてなる発光体１９と、この発光体１９を搭載し、発光体１９のＬＥＤ素子に駆動電力を供給するためのリードフレーム１７と、このリードフレーム１７に形成された２本の接続端子１７Ａと、発光体１９を封止するエポキシ樹脂等の樹脂材で形成された封止体２０とを備え、封止体２０の側面にはアルミニウム等の金属が蒸着されてなる反射膜２０Ａが形成され、発光体１９から放射された光が図中上方に向けて照射される。
【００１６】
上記電力供給線１８は、図４に示すように、正電位を与える２本の陽電線１８Ａ、１８Ｂと、アース電位を与える１本のアース線１８Ｃとを備え、このアース線１８Ｃがリードワイヤ１７に接続されてリードワイヤ１７の電位がアース電位に保持されると共に、２本の陽電線１８Ａ、１８ＢがＬＥＤ１０の接続端子１７Ａに適宜接続され、各ＬＥＤ１０に電力が供給される。なお、陽電線１８Ａ、１８Ｂと、各ＬＥＤ１０との結線の態様については後に詳述する。
【００１７】
図１に示すように、埋込ボックスから引き出され、商用電源から供給される電力を送電する電源線３０は、取付台３および支持部材４内を通されて本体ケース１４に導かれ電源ボックス１３に結線される。具体的には、図４に示すように、電源ボックス１３には結線部材としての電源ソケット１３Ａが設けられ、この電源ソケット１３Ａに、電源線３０の先端に設けられた電源ブラケット３０Ａが接続される。これにより、建物の商用電源から供給される交流電力が電源ボックス１３に供給され、この電源ボックス１３にて直流電力に変換されて発光部１２に供給される。
【００１８】
ここで、本体ケース１４は、図１、図５および図６に示すように、上下に分離可能に構成された上ケース１４Ａと下ケース１４Ｂとを有し、これらの上下ケース１４Ａ、１４Ｂに形成された螺子孔１６Ａに螺合する螺子１６により、上下ケース１４Ａ、１４Ｂのそれぞれが互いに結合される。下ケース１４Ｂの底面には連結部７の固定部７Ｂが固定され、図６に示すように、固定部７Ｂ内の電源導入路５０を通された電源線３０を本体ケース１４内に引き出すための引出孔５１が形成されている。
【００１９】
また、上ケース１４Ａ内には、図５に示すように、電源ボックス１３が螺子止め固定され、さらに、発光部１２が取り付けられている。すなわち、ＬＥＤ１０の寿命や電源ボックス１３の故障等によりＬＥＤ照明装置１をメンテナンスする際には、電源ソケット１３Ａを電源ブラケット３０Ａから外し上ケース１４ＡだけをＬＥＤ照明装置１から取り外して交換することができる。これにより、メンテナンスのたびにＬＥＤ照明装置１を埋込ボックスから取り外す必要が無く、メンテナンスの容易性が向上する。さらに、発光部１２と電源ボックス１３とが共に上ケース１４Ａに取り付けられているため、メンテナンス時に、発光部１２と電源ボックス１３との間の電力供給線１８を外したりする必要が無く、また、上ケース１４Ａを下ケース１４Ｂに取り付ける際に、電力供給線１８を挟み込む恐れもない。
【００２０】
また、本ＬＥＤ照明装置１にあっては、発熱によりＬＥＤ１０が短寿命化するのを防止するために、ＬＥＤ１０の発熱を効率良く放熱させるための放熱構造を有しており、この放熱構造について詳述する。
発光部１２のマウント基板１１はＬＥＤ１０の放熱性を高めるために、熱伝導性に優れたシリコン基板から構成され、その左右両側面が本体ケース１４の上ケース１４Ａに内接し、ＬＥＤ１０の発熱がシリコン基板１１を介して上ケース１４Ａに伝達される。上ケース１４Ａに伝達された熱は、当該上ケース１４Ａの側面および背面の放熱フィン１５Ａから放熱される。さらに、上ケース１４Ａの熱は、下ケース１４Ｂとの結合面３２から当該下ケース１４Ｂにも伝達される。この下ケース１４Ｂには、図６に示すように、本体ケース１４の長さ方向に延びる４本の放熱フィン３３が内設され、下ケース１４Ｂの放熱性および熱容量が高められている。したがって、上ケース１４Ａと下ケース１４Ｂとが結合面３２にて分離可能に結合されている場合であっても、上ケース１４Ａから下ケース１４Ｂへの熱伝導が促進され、本体ケース１４全体で効率良く放熱し、以って、ＬＥＤ１０の寿命を延ばすことができる。さらに、放熱フィン３３を下ケース１４Ｂの外側ではなく内側に形成したため、放熱フィン３３に埃やゴミ、雨水などが溜まることがないため、これら埃や雨水等により本体ケース１４が腐食される恐れもない。
【００２１】
さらに、本ＬＥＤ照明装置１は、屋外での使用に耐えるための防水構造を有し、この防水構造について詳述する。図６および図７に示すように、上ケース１４Ａの底面には、ケース開口３８に沿って環状に凹部４０が形成されると共に、下ケース１４Ｂの上面にはケース開口３９に沿って環状に凸部４１が形成され、これら凹部４０と凸部４１が互いに遊嵌して、上ケース１４Ａと下ケース１４Ｂとが結合するように構成されている。図７に示すように、密閉性を高めるためのＯリング４２が凹部４０に嵌め込まれており、下ケース１４Ｂと上ケース１４Ａとを螺子１６にて螺旋止めして結合する際に、このＯリング４２が凸部４１に押し潰されて、凹部４０と凸部４１との隙間が埋められ、結合面３２が密閉（シール）される。
【００２２】
また、図１に示すように、支持部材４のアーム６の先端６Ｂとアーム受け７Ａとの間にはパッキン４５が介在配置され、アーム６をアーム受け７Ａに締結する際にパッキン４５がアーム６の先端６Ｂとアーム受け７Ａとの間で押し潰される。具体的には、図８に示すように、アーム６の先端６Ｂは、アーム受け７Ａの外側からねじ込まれた２本の止め螺子４７（ビスでも良い）により締結される。この２本の止め螺子４７は、そのねじ込み方向が水平方向より所定角度αだけ傾けられて上方Ｚ１に向けてねじ込まれると共に、アーム６の先端６Ｂには、止め螺子４７の先端が当接する箇所に、アーム６の周方向に沿って切欠６Ｃが形成されている。そして、止め螺子４７がねじ込まれた際には、当該止め螺子４７の先端がアーム６の切欠６Ｃと係合し、アーム６を上方Ｚ１に向けて押し上げる力、および、連結部７を下方Ｚ２に向けて押し下げる力が生じる。これにより、アーム６を螺旋止めするだけでパッキン４５が押し潰されて、アーム６の先端６Ｂとアーム受け７Ａとの間が密閉（シール）され、簡単に防水性が高められる。
【００２３】
ここで、発光部１２には、複数のＬＥＤ１０が設けられていることは上述の通りであるが、これらのＬＥＤ１０を全て直列に接続して駆動電力を供給する構成とすると、１つのＬＥＤ１０が故障等しただけで、全てのＬＥＤ１０が点灯不能となってしまう。そこで本実施形態では、図９に示すように、複数のＬＥＤ１０を２組に分け、一方の組の各ＬＥＤ１０を陽電線１８Ａとアース線１８Ｃとの間に直列に接続して第１回路７０Ａを構成すると共に、他方の組の各ＬＥＤ１０を陽電線１８Ｂとアース線１８Ｃとの間に直列に接続して第２回路７０Ｂを構成している。この構成によれば、一方の回路のＬＥＤ１０に故障等が生じたとしても他方の回路には影響せず、全てのＬＥＤ１０が点灯不能になることを防止することができる。なお、第１及び第２回路７０Ａ、７０Ｂの各々に電源ボックス１３を設けても良く、また、第１および第２回路７０Ａ、７０Ｂといった２つの直列回路に限らず、３つ以上の直列回路を構成しても良い。
また、一方の回路が点灯不能となった場合であっても、全点灯時の配光を維持すべく、第１回路７０Ａを構成するＬＥＤ１０の組の配光と、第２回路７０Ｂを構成するＬＥＤ１０の組の配光とを、それぞれ全点灯時の配光と同じにするのが望ましい。これによれば、一方の回路が点灯不能となっても、明るさが暗くなるだけで配光は維持することができる。
【００２４】
以上説明したように、本実施形態によれば、照明装置本体２の本体ケース１４を互いに分離可能な上ケース１４Ａおよび下ケース１４Ｂとから構成し、上ケース１４Ａ側に、発発光部１２と、この発光部に電力供給線１８を介して電気的に接続される電源ボックス１３とを取り付けたため、ＬＥＤ照明装置１のメンテナンスの際には、本体ケース１４の上ケース１４Ａを取り外すだけで、発光部１２および電源ボックス１３とが一度に取り外され、交換等のメンテナンス作業が容易となる。
【００２５】
また、本実施形態によれば、ＬＥＤ１０をマウント基板１１にマウントして発光部１２を構成し、当該マウント基板１１を高熱伝導材であるシリコンで形成すると共に、当該マウント基板１１の縁を上ケース１４Ａの内壁に密接させて発光部１２の発熱を上ケース１４Ａに伝導させるため、発光部１２の発熱が上ケース１４Ａ全体で放熱される。これにより、発熱によってＬＥＤ１０の寿命が短くなるのが防止され、また、ＬＥＤ１０を高出力で駆動することも可能となる。
特に、本実施形態では、下ケース１４Ｂ内に複数の放熱フィン３３を一体形成したため、上ケース１４Ａから下ケース１４Ｂへの熱伝導が促進され、本体ケース１４全体で効率よく放熱することができる。
【００２６】
また、本実施形態によれば、支持部材４のアーム６の先端部６Ｂにパッキン４５を設け、当該パッキン４５と共にアーム６の先端を照明装置本体２側のアーム受け７Ａに挿入し、このアーム受け７Ａの外側からアーム６の先端部６Ｂを螺子止めする際に、止め螺子４７がアーム６の先端部６Ｂに形成された切欠部６Ｃを押し上げてパッキン４５を圧迫するため、これにより、アーム６を螺旋止めするだけでパッキン４５が押し潰されて、アーム６の先端６Ｂとアーム受け７Ａとの間が密閉（シール）され、簡単に防水性が高められる。
【００２７】
また、本実施形態によれば、上ケース１４Ａおよび下ケース１４Ｂのそれぞれに開口の縁部に沿って凹部４０、凸部４１を形成し、この凸部４１によって押圧されるＯリング４２を凹部４０に配置したため、上ケース１４Ａおよび下ケース１４Ｂを係合させるだけで簡単にシール性を高めることができる。
なお、上述した実施の形態は、あくまでも本発明の一態様を示すものであり、本発明の範囲内で任意に変形および応用が可能であることは勿論である。
【図面の簡単な説明】
【００２８】
【図１】本発明の実施形態に係るＬＥＤ照明装置の構成を示す図。
【図２】ＬＥＤ照明装置の平面図。
【図３】ＬＥＤの概略構成図。
【図４】照明装置本体の構成図。
【図５】照明装置本体の構成を示す分解図。
【図６】上ケースおよび下ケースの構成図。
【図７】照明装置本体の断面図。
【図８】図２のＡ−Ａ’線における断面図。
【図９】発光部の回路構成を模式的に示す図。
【符号の説明】
【００２９】
１  ＬＥＤ照明装置
２  照明装置本体
３  取付台
４  支持部材
１０  ＬＥＤ
１２  発光部
１３  電源ボックス
１４  本体ケース
１４Ａ  上ケース
１４Ｂ  下ケース
１８  電力供給線
【図１】
2007234558.tif 000003
【図２】
2007234558.tif 000004
【図３】
2007234558.tif 000005
【図４】
2007234558.tif 000006
【図５】
2007234558.tif 000007
【図６】
2007234558.tif 000008
【図７】
2007234558.tif 000009
【図８】
2007234558.tif 000010
【図９】
2007234558.tif 000011